【手続補正書】
【提出日】平成30年6月1日(2018.6.1)
【手続補正１】
【補正対象書類名】特許請求の範囲
【補正対象項目名】全文
【補正方法】変更
【補正の内容】
【特許請求の範囲】
【請求項１】
環境チャンバであって、
各壁が、それを通して試験試料支持体を受容するためのサイズの開口を有する、対向壁
を有する、エンクロージャであって、前記開口は、基準軸上に沿って相互に整合される、
エンクロージャと、
前記エンクロージャ内で前記基準軸と交差する方向に強制空気を供給するように構成さ
れる、強制空気源と、
前記強制空気源と前記基準軸との間に位置付けられる、ダイバータであって、前記ダイバータは、前記強制空気を受容し、前記基準軸の異なる部分を越える空気流動を制御するように構成される、ダイバータと
を備える、環境チャンバ。
【請求項２】
前記ダイバータは、前記開口のそれぞれから離れた前記基準軸の内側部分において空気
流動を減少させ、前記基準軸の遠隔部分において空気流動を増加させるように構成され、
各遠隔部分は、前記内側部分と前記開口のうちの１つとの間に位置する、請求項１に記載
の環境チャンバ。
【請求項３】
前記ダイバータは、空気流動を前記基準軸の遠隔部分のそれぞれに向かって偏向させる
ための表面を含む、請求項１−２のいずれかに記載の環境チャンバ。
【請求項４】
前記表面のそれぞれは、前記空気流動に対して斜めに配向される、請求項３に記載の環境チャンバ。
【請求項５】
前記表面のそれぞれは、それを通して延在する開口を含む、請求項３および４のいずれかに記載の環境チャンバ。
【請求項６】
前記ダイバータは、空気流動を前記基準軸の遠隔部分のそれぞれに指向させるために、
それを通して第１の１つまたはそれを上回る開口を含む、請求項１−４のいずれかに記載
の環境チャンバ。
【請求項７】
前記ダイバータは、空気流動を前記基準軸の内側部分に指向させるように構成される、それを通して第２の１つまたはそれを上回る開口を含む、請求項６に記載の環境チャンバ。
【請求項８】
前記第２の１つまたはそれを上回る開口は、一対の前記第１の１つまたはそれを上回る
開口間に配置される、請求項７に記載の環境チャンバ。
【請求項９】
前記第１の１つまたはそれを上回る開口および前記第２の１つまたはそれを上回る開口
は、平坦部材上に配置される、請求項８に記載の環境チャンバ。
【請求項１０】
前記ダイバータは、前記ダイバータを前記基準軸から選択された距離に調節可能に固定
するように構成される、搭載部を含む、請求項１−９のいずれかに記載の環境チャンバ。
【請求項１１】
前記ダイバータは、長さが調節可能な導管の出口に搭載され、前記強制空気を運搬する
ように構成される、請求項１−１０のいずれかに記載の環境チャンバ。
【請求項１２】
前記ダイバータは、前記強制空気を運搬するように構成される、導管の出口に搭載され
る、請求項１−１０のいずれかに記載の環境チャンバ。
【請求項１３】
支持体構造およびアクチュエータを有する荷重フレームを用いた荷重または変位の印加
の間、試験試料の選択された温度勾配を維持する方法であって、
前記試験試料を基準軸に保持するように、前記アクチュエータおよび前記支持体構造に
動作可能に接続される一対の試験試料支持体を用いて、前記試験試料を環境チャンバに支
持することであって、各試験試料支持体は、対応する開口を通して前記環境チャンバの中に延在する部分を有する、ことと、
強制空気を前記チャンバの中に供給することと、
試験の間、前記試験試料の少なくとも一部においてより前記試験試料支持体の前記部分
のそれぞれにおいて多くの空気を指向し、前記試験試料を横断する温度勾配を制御することと
を含む、方法。
【請求項１４】
前記試験試料の少なくとも一部においてより前記試験試料支持体の前記部分のそれぞれ
において多くの空気を指向することは、ダイバータを使用して、空気流動を制御することを含む、請求項１３に記載の方法。
【請求項１５】
前記環境チャンバ内のダイバータの位置を調節することをさらに含む、請求項１３−１４のいずれかに記載の方法。
【手続補正２】
【補正対象書類名】明細書
【補正対象項目名】００１２
【補正方法】変更
【補正の内容】
【００１２】
一実施形態では、試験試料の少なくとも一部におけるより試験試料支持体の部分のそれ
ぞれにおいて多くの空気を指向するステップは、ダイバータを使用して、空気流動を制御
することを含む。本方法はまた、環境チャンバ内のダイバータの位置を調節するステップ
および／または前述の特徴のうちの１つもしくはそれを上回るものを含むステップを含む
ことができる。
本願明細書は、例えば、以下の項目も提供する。
（項目１）
環境チャンバであって、
各壁が、それを通して試験試料支持体を受容するためのサイズの開口を有する、対向壁
を有する、エンクロージャであって、前記開口は、基準軸上に沿って相互に整合される、
エンクロージャと、
前記エンクロージャ内で前記基準軸と交差する方向に強制空気を供給するように構成さ
れる、強制空気源と、
前記強制空気源と前記基準軸との間に位置付けられる、ダイバータであって、前記強制
空気を受容し、前記基準軸の異なる部分を越える前記空気流動を制御するように構成され
る、ダイバータと、
を備える、環境チャンバ。
（項目２）
前記ダイバータは、前記開口のそれぞれから離れた前記基準軸の内側部分において空気
流動を減少させ、前記基準軸の遠隔部分において空気流動を増加させるように構成され、
各遠隔部分は、前記内側部分と前記開口のうちの１つとの間に位置する、項目１に記載の環境チャンバ。
（項目３）
前記ダイバータは、空気流動を前記基準軸の遠隔部分のそれぞれに向かって偏向させる
ための表面を含む、項目１−２のいずれかに記載の環境チャンバ。
（項目４）
前記表面はそれぞれ、前記空気流動に対して斜めに配向される、項目３に記載の環境チャンバ。
（項目５）
前記表面はそれぞれ、それを通して延在する開口を含む、項目３および４のいずれかに記載の環境チャンバ。
（項目６）
前記ダイバータは、空気流動を前記基準軸の遠隔部分のそれぞれに指向させるために、
それを通して第１の１つまたはそれを上回る開口を含む、項目１−４のいずれかに記載の環境チャンバ。
（項目７）
前記ダイバータは、空気流動を前記基準軸の内側部分に指向させるように構成される
、それを通して第２の１つまたはそれを上回る開口を含む、項目６に記載の環境チャンバ。
（項目８）
前記第２の１つまたはそれを上回る開口は、一対の前記第１の１つまたはそれを上回る
開口間に配置される、項目７に記載の環境チャンバ。
（項目９）
前記第１の１つまたはそれを上回る開口および前記第２の１つまたはそれを上回る開口
は、平坦部材上に配置される、項目８に記載の環境チャンバ。
（項目１０）
前記ダイバータは、前記ダイバータを前記基準軸から選択された距離に調節可能に固定
するように構成される、搭載部を含む、項目１−９のいずれかに記載の環境チャンバ。
（項目１１）
前記ダイバータは、長さが調節可能な導管の出口に搭載され、前記強制空気を運搬する
ように構成される、項目１−１０のいずれかに記載の環境チャンバ。
（項目１２）
前記ダイバータは、前記強制空気を運搬するように構成される、導管の出口に搭載され
る、項目１−１０のいずれかに記載の環境チャンバ。
（項目１３）
荷重フレームであって、
支持体構造と、
前記支持体構造に接続される、アクチュエータと、
前記支持体構造および前記アクチュエータに接続され、試験試料をその間および基準軸
上に保持するように構成される、一対の試験試料支持体であって、それぞれ、前記試験試
料の一部を保持するように構成される、試験試料支持体を含む、試験試料支持体と、
環境チャンバであって、
各壁が、それを通して前記試験試料支持体のうちの１つを受容するためのサイズの開口
を有する、対向壁を有する、エンクロージャと、
前記エンクロージャ内で前記基準軸と交差する方向に強制空気を供給するように構成さ
れる、強制空気源と、
前記強制空気源と前記基準軸との間に位置付けられる、ダイバータであって、前記強制
空気を受容し、前記基準軸の異なる部分を越える前記空気流動を制御するように構成され
る、ダイバータと、
を備える、環境チャンバと、
を備える、荷重フレーム。
（項目１４）
前記ダイバータは、前記開口のそれぞれから離れた前記基準軸の内側部分において空気
流動を減少させ、前記基準軸の遠隔部分において空気流動を増加させるように構成され、
各遠隔部分は、前記内側部分と前記開口のうちの１つとの間に位置する、項目１３に記載の環境チャンバ。
（項目１５）
前記ダイバータは、空気流動を前記基準軸の遠隔部分のそれぞれに向かって偏向させる
ための表面を含む、項目１３−１４のいずれかに記載の環境チャンバ。
（項目１６）
前記ダイバータは、空気流動を前記基準軸の遠隔部分のそれぞれに指向させるために、
それを通して第１の１つまたはそれを上回る開口を含む、項目１３−１５のいずれかに記載の環境チャンバ。
（項目１７）
前記ダイバータは、空気流動を前記基準軸の内側部分に指向させるように構成される、
それを通して第２の１つまたはそれを上回る開口を含む、項目１６に記載の環境チャンバ。
（項目１８）
前記第２の１つまたはそれを上回る開口は、一対の前記第１の１つまたはそれを上回る
開口間に配置される、項目１７に記載の環境チャンバ。
（項目１９）
前記第１の１つまたはそれを上回る開口および前記第２の１つまたはそれを上回る開口
は、平坦部材上に配置される、項目１８に記載の環境チャンバ。
（項目２０）
前記ダイバータは、前記ダイバータを前記基準軸から選択された距離に調節可能に固定
するように構成される、搭載部を含む、項目１３−１９のいずれかに記載の環境チャンバ。
（項目２１）
前記ダイバータは、長さが調節可能な導管の出口に搭載され、前記強制空気を運搬する
ように構成される、項目１３−２０のいずれかに記載の環境チャンバ。
（項目２２）
前記ダイバータは、前記強制空気を運搬するように構成される、導管の出口に搭載され
る、項目１３−２０のいずれかに記載の環境チャンバ。
（項目２３）
支持体構造およびアクチュエータを有する荷重フレームを用いた荷重または変位の印加
の間、試験試料の選択された温度勾配を維持する方法であって、
前記試験試料を基準軸に保持するように、前記アクチュエータおよび前記支持体構造に
動作可能に接続される一対の試験試料支持体を用いて、前記試験試料を環境チャンバに支
持するステップであって、各試験試料支持体は、対応する開口を通して前記環境チャンバ
の中に延在する部分を有する、ステップと、
強制空気を前記チャンバの中に供給するステップと、
試験の間、前記試験試料の少なくとも一部においてより前記試験試料支持体の前記部分
のそれぞれにおいて多くの空気を指向し、前記試験試料を横断する温度勾配を制御するス
テップと、
を含む、方法。
（項目２４）
前記試験試料の少なくとも一部においてより前記試験試料支持体の前記部分のそれぞれ
において多くの空気を指向するステップは、ダイバータを使用して、空気流動を制御する
ことを含む、項目２３に記載の方法。
（項目２５）
前記環境チャンバ内のダイバータの位置を調節するステップをさらに含む、項目２３−２４のいずれかに記載の方法。